(57)【要約】【課題】  本発明は、圧縮機の大きさを同一に維持しながらも容量を増加し得るスクロール圧縮機を提供することを目的とする。【解決手段】  本発明に係るスクロール圧縮機においては、ケーシングと、該ケーシングの内部に固定設置される駆動モータと、前記隔壁の外側に前記ボス受納部の底面の一方側にベイン側吸入口が形成されて底面の他方側に１対のベイン側吐出口が形成されるフレームと、最外角部分に第１吸入口が形成されて中央部分に第１吐出口が形成される固定スクロールと、前記回転軸の回転により旋回運動する旋回スクロールと、前記旋回スクロールの自転運動を防止して旋回運動を誘導する自転防止部材と、前記旋回ベインに挟まれて前記フレームの半径方向にスライド可能に設置され、前記旋回ベインの内側部分と外側の部分に第２圧縮室を形成するスライドブロックと、を包含して構成されることを特徴とする。【選択図】      図１
2006112412.tif 000002
【特許請求の範囲】
【請求項１】
ケーシングと、
該ケーシングの内部に固定設置される駆動モータと、
該駆動モータの回転軸を支持し得るように前記ケーシングの内部に固定設置され、中央部分のボス受納部の底面に環形の隔壁が突出形成され、前記隔壁の外側に前記ボス受納部の底面の一方の側にベイン側吸入口が形成されて底面の他方の側に１対のベイン側吐出口が形成されるフレームと、
該フレームに固定設置され、最外角部分に第１吸入口が形成されて中央部分に第１吐出口が形成される固定スクロールと、
該固定スクロールに噛合されて第１圧縮室を形成し、下部中央部分に前記回転軸を締めるためのボス部が形成され、下部外郭部分に所定間隔を置いて前記ボス部を取り囲む旋回ベインが形成されて、前記回転軸の回転により旋回運動する旋回スクロールと、
前記フレームと旋回スクロール間に介在されて、前記旋回スクロールの自転運動を防止して旋回運動を誘導する自転防止部材と、
前記ベイン側吸入口と前記１対のベイン側吐出口間に位置され、前記旋回ベインに挟まれて前記フレームの半径方向にスライド可能に設置され、前記旋回ベインの内側部分と外側の部分に第２圧縮室を形成するスライドブロックと、を包含して構成されることを特徴とするスクロール圧縮機。
【請求項２】
前記旋回ベインにはスリットが形成され、且つ前記スライドブロックは前記スリットにスライド可能に挟まれることを特徴とする請求項１記載のスクロール圧縮機。
【請求項３】
前記第２圧縮室は、前記旋回ベインの内側部分に形成されるインナー第２圧縮室と、前記旋回ベインの外側部分に形成されるアウター第２圧縮室とから成り、且つ
前記１対のベイン側吐出口は、前記旋回ベインの外側に位置するアウターベイン側吐出口と、前記旋回ベインの内側に位置するインナーベイン側吐出口と、を包含して構成されることを特徴とする請求項１記載のスクロール圧縮機。
【請求項４】
前記ベイン側吸入口の直径は、前記１対のベイン側吐出口の直径より大きく形成されることを特徴とする請求項３記載のスクロール圧縮機。
【請求項５】
前記ベイン側吸入口は前記インナー第２圧縮室とアウター第２圧縮室にかけて位置され、前記アウターベイン側吐出口は前記アウター第２圧縮室にかけて位置され、且つ前記インナーベイン側吐出口は前記インナー第２圧縮室にかけて位置されることを特徴とする請求項３記載のスクロール圧縮機。
【請求項６】
前記ベイン側吸入口は前記ケーシングの低圧部と連結され、前記１対のベイン側吐出口は前記ケーシングの高圧部と連結されることを特徴とする請求項１記載のスクロール圧縮機。
【請求項７】
前記スライドブロックは、前記隔壁の外周面に接するように設置されることを特徴とする請求項１記載のスクロール圧縮機。
【請求項８】
前記スライドブロックの両側面には曲面部が形成されることを特徴とする請求項２記載のスクロール圧縮機。
【請求項９】
前記回転軸を中心に前記回転軸の外周面にはボス部が位置されて、該ボス部の外郭には前記隔壁が位置され、該隔壁の外郭には旋回ベインが位置されることを特徴とする請求項１記載のスクロール圧縮機。
【請求項１０】
駆動モータの回転軸を支持し得るようにケーシングの内部に固定設置され、中央部分のボス受納部の底面に環形の隔壁が突出形成され、該隔壁の外側に前記受納部の底面の一方の側にベイン側吸入口が形成されて、底面の他方の側に１対のベイン側吐出口が形成されるフレームと、
該フレームに固定設置されて、最外角部分に第１吸入口が形成されて中央部分に第１吐出口が形成される固定スクロールと、
下部中央部分に前記回転軸を締めるためのボス部が形成され、下部外郭部分に前記ボス部を取り囲む旋回ベインが形成され、前記旋回ベインには、スリットが形成される旋回スクロールと、
前記ベイン側吸入口と前記１対のベイン側吐出口間に位置されて、前記旋回ベインのスリットに挟まれて前記フレームの半径方向にスライド可能に設置され、前記旋回ベインの内側部分と外側の部分に第２圧縮室を形成するスライドブロックと、を包含して構成されることを特徴とするスクロール圧縮機。
【請求項１１】
前記旋回ベインにはスリットが形成され、前記スライドブロックは、前記スリットにスライド可能に挟まれることを特徴とする請求項１０記載のスクロール圧縮機。
【請求項１２】
前記第２圧縮室は、前記旋回ベインの内側部分に形成されるインナー第２圧縮室と、前記旋回ベインの外側部分に形成されるアウター第２圧縮室と、から成り、
前記１対のベイン側吐出口は、前記旋回ベインの外側に位置するアウターベイン側吐出口と、前記旋回ベインの内側に位置するインナーベイン側吐出口と、を包含して構成されることを特徴とする請求項１０記載のスクロール圧縮機。
【請求項１３】
前記ベイン側吸入口の直径は、前記１対のベイン側吐出口の直径より大きく形成されることを特徴とする請求項１２記載のスクロール圧縮機。
【請求項１４】
前記ベイン側吸入口は前記インナー第２圧縮室とアウター第２圧縮室にかけて位置されて、前記アウターベイン側吐出口は前記アウター第２圧縮室にかけて位置されて、前記インナーベイン側吐出口は前記インナー第２圧縮室にかけて位置されることを特徴とする請求項１２記載のスクロール圧縮機。
【請求項１５】
前記ベイン側吸入口は前記ケーシングの低圧部と連結されて、前記１対のベイン側吐出口は前記ケーシングの高圧部と連結されることを特徴とする請求項１２記載のスクロール圧縮機。
【請求項１６】
前記スライドブロックは、前記隔壁の外周面に接するように設置されることを特徴とする請求項１２記載のスクロール圧縮機。
【請求項１７】
前記スライドブロックの両側面には曲面部が形成されることを特徴とする請求項１１記載のスクロール圧縮機。
【請求項１８】
前記回転軸を中心に前記回転軸の外周面にはボス部が位置され、該ボス部の外郭には前記隔壁が位置され、且つ該隔壁の外郭には旋回ベインが位置されることを特徴とする請求項１０記載のスクロール圧縮機。
【発明の詳細な説明】
【技術分野】
【０００１】
本発明は、スクロール圧縮機に係るもので、詳しくは、同じ大きさであっても吐出容量を増加し得るスクロール圧縮機に関するものである。
【背景技術】
【０００２】
一般に、圧縮機は、機械的エネルギーを圧縮性流体の圧縮エネルギーに変換させるもので、通常、往復動式、スクロール式、遠心式及びベイン式に区分し得る。
【０００３】
スクロール式圧縮機は、ピストンの直線運動を利用する往復動式とは違い遠心式やベイン式のように回転体を利用してガスを吸入圧縮して吐出する方式である。
【０００４】
このようなスクロール圧縮機は大部分エアコンディショナーのような空気調和機に適用するが、最近、エアコンディショナーの冷暖房効率を高めるためにスクロール圧縮機の容量を可変し得る製品を必要とする趨勢にある。
【０００５】
従来のスクロール圧縮機は、図７に示したように、ガス吸入管（SP）とガス吐出管（DP）を具備するケーシング１と、該ケーシング１の内部の上下に夫々固定設置されるメインフレーム２及びサブフレーム（図示されず）と、前記メインフレーム２とサブフレーム間に装着されて回転力を発生する駆動モータ３と、該駆動モータ３の中心に固定されて、前記メインフレーム２の中心を貫通して前記駆動モータ３の回転力を伝達する回転軸４と、前記メインフレーム２の上面に固定設置される固定スクロール５と、該固定スクロール５に噛合されて圧縮室（P）を形成するように前記メインフレーム２の上面に旋回可能に載せられる旋回スクロール６と、該旋回スクロール６とメインフレーム２間に設置されて前記旋回スクロール６の自転を防止する自転防止部材７（即ち、オールダムリング（Oldham'sring））と、前記固定スクロール５の上面に結合されて前記ケーシング１の内部を低圧部（S１）と高圧部（S２）とに区画する吐出カバー８と、を包含して構成される。
【０００６】
通例的には、前記メインフレーム２の上部に固定される固定スクロール５と、該固定スクロール５とメインフレーム２の間に回転可能に設置される旋回スクロール６から成るものを圧縮機構部という。
【０００７】
また、前記メインフレーム２の中央部分には、前記旋回スクロール６のボス部６bの旋回運動のためのボス受納部２bが形成されていて、該ボス受納部２bの中央には、回転軸４を支持する軸孔２aが形成されている。
【０００８】
また、前記固定スクロール５の底面には、後述する旋回スクロール６のラップ６aと噛合されて圧縮室（P）を形成するラップ５aがインボリュート形状に形成されていて、前記ラップ５aの最外郭には吸入口５b が形成されている。そして、前記固定スクロール５の中央部分にはケーシング１の高圧部（S２）方向に連通される吐出口５cが形成されている。
【０００９】
前記旋回スクロール６の上面には前記固定スクロール５のラップ５aと噛合されるようにラップ６aがインボリュート形状に形成されていて、その下面の中央部分には、前記回転軸４の偏心部４aに結合されて前記メインフレーム２のボス受納部２bの中で旋回運動をするボス部６bが形成されている。
【００１０】
以下、このように構成された従来のスクロール圧縮機の動作に対し、説明する。
印加された電源により前記駆動モータ３の回転軸４が回転すると、前記旋回スクロール６は、前記自転防止部材７により自転しなくて旋回する。
【００１１】
その時、前記旋回スクロール６のラップ部６aと固定スクロール５のラップ部５a間に圧縮室（P）が形成されて、該圧縮室（P）は、前記旋回スクロール６の持続的な旋回運動により吸入口５bから流入された冷媒ガスを吐出口５c方向に移動させながら吐出する。
【００１２】
即ち、冷媒ガスは、ガス吸入管（SP）を通って前記ケーシング１の低圧部（S１）に吸入されてから前記固定スクロール５の吸入口５bを通って前記圧縮室（P）の最外角方向に流入された後、前記旋回スクロール６の継続的な旋回運動により徐々に前記圧縮室（P）の内側に移動しながら圧縮されて前記固定スクロール５の吐出口５cを通ってケーシング１の高圧部（S２）に吐出される。
【発明の開示】
【発明が解決しようとする課題】
【００１３】
然るに、このように構成された従来のスクロール圧縮機においては、冷媒ガスが前記旋回スクロール６と固定スクロール５から成る圧縮室（P）のみで圧縮されて吐出されるため、圧縮機の容量を増加させるのに限界があるという不都合な点があった。
従って、本発明は、上記のような問題点に鑑みて成されたもので、圧縮機の大きさを同一に維持しながらも容量を増加し得るスクロール圧縮機を提供することを目的とする。
【課題を解決するための手段】
【００１４】
上記目的を達成するため、本発明に係るスクロール圧縮機においては、ケーシングと、該ケーシングの内部に固定設置される駆動モータと、該駆動モータの回転軸を支持し得るように前記ケーシングの内部に固定設置されて中央部分のボス受納部の底面に環形の隔壁が突出形成され且つ該隔壁の外側に前記受納部の底面の一方側にベイン側吸入口が形成されて底面の他方側に１対のベイン側吐出口が形成されるフレームと、
該フレームに固定設置されて最外角部分に第１吸入口が形成されて中央部分に第１吐出口が形成される固定スクロールと、
該固定スクロールに噛合されて第１圧縮室を形成して、下部中央部分に前記回転軸を締めるためのボス部が形成されて、下部外郭部分に所定間隔を置いて前記ボス部を取り囲む旋回ベインが形成されて、前記回転軸の回転により旋回運動する旋回スクロールと、
前記フレームと旋回スクロール間に介在されて前記旋回スクロールの自転運動を防止して旋回運動を誘導する自転防止部材と、
前記ベイン側吸入口と前記１対のベイン側吐出口間に位置されて前記旋回ベインに挟まれて前記フレームの半径方向にスライド可能に設置されて且つ前記旋回ベインの内側部分と外側の部分に第２圧縮室を形成するスライドブロックと、を包含して構成されることを特徴とする。
【００１５】
前記旋回ベインにはスリットが形成されて、前記スライドブロックは前記スリットにスライド可能に挟まれることを特徴とする。
【００１６】
また、前記第２圧縮室は、前記旋回ベインの内側部分に形成されるインナー第２圧縮室と、前記旋回ベインの外側部分に形成されるアウター第２圧縮室とから成り、且つ前記１対のベイン側吐出口は、前記旋回ベイン外側に位置するアウターベイン側吐出口と、前記旋回ベイン内側に位置するインナーベイン側吐出口と、を包含して構成されることを特徴とする。
【００１７】
また、前記ベイン側吸入口の直径は、前記１対のベイン側吐出口の直径より大きく形成されることが好ましい特徴とする。
【００１８】
また、前記ベイン側吸入口は前記インナー第２圧縮室とアウター第２圧縮室にかけて位置され、前記アウターベイン側吐出口は前記アウター第２圧縮室にかけて位置され、且つ前記インナーベイン側吐出口は前記インナー第２圧縮室にかけて位置されることを特徴とする。
【００１９】
また、前記ベイン側吸入口は前記ケーシングの低圧部と連結され、前記１対のベイン側吐出口は前記ケーシングの高圧部と連結されることを特徴とする。
また、前記スライドブロックは前記隔壁の外周面に接するように設置され、且つ前記スライドブロックの両側面には曲面部が形成されることが好ましい特徴とする。
【００２０】
また、前記回転軸を中心に前記回転軸の外周面にはボス部が位置され、該ボス部の外郭には前記隔壁が位置され、且つ前記隔壁の外郭には旋回ベインが位置されることを特徴とする。
【発明の効果】
【００２１】
本発明に係るスクロール圧縮機においては、旋回スクロールと固定スクロール間に第１圧縮室を形成すると共に、旋回スクロールとメインフレームとの間に第２圧縮室を追加的に形成することで、旋回スクロールの旋回運動の時、冷媒ガスが両側圧縮室で同時に圧縮されるようにして同一の大きさの圧縮機より大きい容量を得るという効果がある。
【発明を実施するための最良の形態】
【００２２】
以下、本発明に係る好ましい実施形態に対し、図面を用いて説明する。
本発明に係るスクロール圧縮機１００においては、図１乃至図５に示したように、ガス吸入管（SP）とガス吐出管（DP）を具備するケーシング１１０と、該ケーシング１１０の内部の上下に夫々固定設置されるメインフレーム１２０と、サブフレーム（図示されず）と、前記メインフレーム１２０とサブフレーム間に装着されて回転力を発生する駆動モータ１３０と、該駆動モータ１３０の中心に固定され、前記メインフレーム１２０の中心を貫通して前記駆動モータ１３０の回転力を伝達する回転軸１４０と、前記メインフレーム１２０の上面に固定設置される固定スクロール１５０と、該固定スクロール１０５に噛合されて第１圧縮室２００を形成するように前記メインフレーム１２０の上面に旋回可能に載せられる旋回スクロール１６０と、該前記旋回スクロール１６０とメインフレーム１２０間に設置されて前記旋回スクロール１６０の自転を防止する自転防止部材１７０（即ち、オールダムリング（Oldham'sring））と、前記固定スクロール１５０の上面に結合されて前記ケーシング１１０の内部を低圧部（S１）と高圧部（S２）とに区画する吐出カバー１８０と、を包含して構成されている。
【００２３】
また、本発明に係るスクロール圧縮機において、メインフレーム１２０と、該メインフレーム１２０の上部に固定される固定スクロール１５０と、前記固定スクロール１８０とメインフレーム１２０の間に回転可能に設置される旋回スクロール１６０から成るものを固定スクロール側圧縮機構部という。
【００２４】
そして、後述するメインフレーム１２０の隔壁１２３と、旋回スクロール１６０の旋回ベイン１６３と、スライドブロック１９０から成るものをベイン側圧縮機構部という。
【００２５】
また、前記メインフレーム１２０の中央部分には、前記旋回スクロール１６０のボス部１６２の旋回運動のための空間、即ち、ボス受納部１２１が形成されていて、該ボス受納部１２１の中央には、回転軸１４０を支持する軸孔１２２が形成されている。
【００２６】
また、前記固定スクロール１５０の底面には、後述する旋回スクロール１６０のラップ１６１と噛合されて前記第１圧縮室２００を形成するラップ１５１がインボリュート形状に形成されていて、前記ラップ１５１の最外郭には吸入口１５２が形成されている。そして、前記固定スクロール１５０の中央部分には、前記ケーシング１１０の高圧部（S２）方向に連通される吐出口１５３が形成されている。
【００２７】
また、前記旋回スクロール１６０の上面には、前記固定スクロール１５０のラップ１５１と噛合されるようにラ前記ップ１６１がインボリュート形状に形成されていて、その下面の中央部分には、前記回転軸１４０の偏心部１４１に結合されて前記メインフレーム１２０のボス受納部１２１の内部で旋回運動するボス部１６２が形成されている。
【００２８】
一方、本発明に係る特徴として、前記フレーム１２０のボス受納部１２１の底面に環形の隔壁１２３が突出形成されていて、該隔壁１２３の外側に前記ボス受納部１２１の底面の一方の側にベイン側吸入口１２４が形成され、底面の他方の側に１対のベイン側吐出口１２５、１２６が形成されている。
【００２９】
また、前記旋回スクロール１６０のボス部１６２と所定間隔を置いて、これを取り囲む位置に旋回ベイン１６３が形成されていて、前記旋回ベイン１６３の一方の端にはスリット１６５が形成されている。
【００３０】
前記ベイン側吸入口１２４と前記１対のベイン側吐出口１２５、１２６間には、スライドブロック１９０が位置されていて、前記旋回ベイン１６３に挟まれて前記フレーム１２０の半径方向にスライド可能に設置され、前記旋回ベイン１６３の内側部分と外側の部分に第２圧縮室３００を形成する。
【００３１】
即ち、前記第２圧縮室３００とは、前記スリット１６５にスライドブロック１９０が挟まれて、前記スライドブロック１９０が前記隔壁１２３の外周面に接するようになる時、前記旋回ベイン１６３とスライドブロック１９０間に形成される圧縮空間をいう。
【００３２】
また、前記第２圧縮室３００は、さらに、前記旋回ベイン１６３の内側部分に形成されるインナー第２圧縮室３１０と、前記旋回ベイン１６３の外側の方向部分に形成されるアウター第２圧縮室３２０と、に分けることができる。
【００３３】
前記スライドブロック１９０が前記隔壁１２３の外周面に密着して接触されるように、前記スライドブロック１９０の一方の端部には隔壁１２３の外周面の曲率と同様な曲率を有する曲面部１９１が形成されて、また、前記ボス受納部１２１の内周面に密着されるように、前記スライドブロック１９０の他方端部にもボス受納部１２１の内周面の曲率と同様な曲率を有する曲面部１９２が形成されることが好ましい。
【００３４】
一方、図６（A）乃至図６（D）に示したように、説明の便宜のためにインナー第２圧縮室３１０において、インナー第２圧縮室３１０を両分する旋回ベイン１６３の位置によって前記スライドブロック１９０を基準にインナー第２圧縮室３１０の一方の端の空間を圧縮室３１１とし、他方の端の空間を圧縮室３１２という。また、アウター第２圧縮室３２０において、アウター第２圧縮室３２０を両分する旋回ベイン１６３の位置によって前記アウター第２圧縮室３２０の一方の端の空間を圧縮室３２１とし、他方の端の空間を圧縮室３２２という。
【００３５】
前記１対のベイン側吐出口１２５、１２６は、また、前記旋回ベイン１６３外側に位置するアウターベイン側吐出口１２５と、前記旋回ベイン１６３内側に位置するインナーベイン側吐出口１２６と、に構成されている。
【００３６】
また、前記ベイン側吸入口１２４の直径は、前記１対のベイン側吐出口１２４、１２５の直径より大きく形成されることが好ましい。
【００３７】
また、前記ベイン側吸入口１２４は前記インナー第２圧縮室３１０とアウター第２圧縮室３２０にかけて位置され、前記アウターベイン側吐出口１２５は前記アウター第２圧縮室３２０にかけて位置されて、前記インナーベイン側吐出口１２６は前記インナー第２圧縮室３１０にかけて位置されている。
【００３８】
また、前記ベイン側吸入口１２４は、図１に示したように、前記ケーシング１１０の低圧部（S１）と連結され、前記一対のベイン側吐出口１２５、１２６は前記ケーシング１１０の高圧部（S２）と連結されている。
【００３９】
従って、前記回転軸１４０の偏心部１４１を中心に前記回転軸１４０の外周面にはボス部１６２が位置され、該ボス部１６２の外郭には前記隔壁１２３が位置され、前記隔壁１２３の外郭には旋回ベイン１６３が位置されている。
【００４０】
以下、このように構成された本発明に係るスクロール圧縮機の動作に対し、説明する。
即ち、印加された電源により前記回転軸１４０が駆動モータ１３０により回転すると、前記旋回スクロール１６０が偏心距離だけ旋回運動されて前記旋回スクロール１６０のラップ１６１と固定スクロール１５０のラップ１５１間に第１圧縮室２００を形成し、該第１圧縮室２００は、前記旋回スクロール１６０の持続的な旋回運動により中心に向いて連続的に移動しながら体積が減少し、該過程で冷媒ガスが前記ケーシング１１０の低圧部（S１）から前記スクロール側吸入口１５１に吸入されて徐々に圧縮された後、前記固定スクロール１５０のスクロール側吐出口１５３を通って前記ケーシング１１０の高圧部（S２）に吐出される。
【００４１】
これと共に、前記旋回スクロール１６０の背面、即ち、底面に旋回ベイン１６３が形成され、該旋回ベイン１６３には、半径方向に直線運動するすべりブロック１９０が備えられ、該すべりブロック１９０は、前記ベイン側吸入口１２４と各ベイン側吐出口１２５、１２６間に設置されて前記旋回スクロール１６０が旋回運動する時、該旋回スクロール１６０の旋回ベイン１６３の外周面とメインフレーム１２０のボス受納部１２１の内周面間と、前記旋回ベイン１６３の内周面とメインフレーム１２０の隔壁１２３の外周面間とに夫々相互１８０゜の位相差を有するアウター第２圧縮室３２０とインナー第２圧縮室３１０を形成する。
【００４２】
次いで、冷媒ガスは、前記ケーシング１１０の内部のベイン側吸入口１２４を通って吸入されながら圧縮された後、前記両側ベイン側吐出口１２５、１２６を通って吐出される。
【００４３】
このように第２圧縮室から吐出される冷媒ガスは、前記ガス通口１２７を通って、前記第１圧縮室２００から吐出された冷媒ガスと共に前記ガス吐出管（DP）に排出される。このように本発明に係るスクロール圧縮機１００においては、第１圧縮室だけではなく第２圧縮室で冷媒ガスを吐出することで、圧縮機の吐出容量を高めることができる。
【００４４】
以下、第２圧縮室で冷媒ガスを吸入、圧縮、吐出する過程に対し、説明する。
先ず、図６（A）に示したように、初期には、前記ベイン側吸入口１２４が前記インナー第２圧縮室３１０の圧縮室３１１に連通されて前記インナー第２圧縮室３１０の圧縮室３１１のみに冷媒ガスが吸入されると同時に、前記すべりブロック１９０の向い側に位置したインナー第２圧縮室３１０の圧縮室３１２では、前記ベイン側吐出口１２６を通って冷媒ガスの吐出が始まる。反面、前記アウター第２圧縮室３２０は、前記ベイン側吸入口１２４を通って冷媒ガスの吸入を完了して圧縮を開始する。
【００４５】
次で、図６（B）に示したように、前記旋回ベイン１６３が時計方向に９０゜さらに旋回された位置では、前記ベイン側吸入口１２４を通って冷媒ガスが前記アウター第２圧縮室３２０の圧縮室３２１に冷媒が吸入されると同時に、前記すべりブロック１９０の向い側に位置したアウター第２圧縮室３２０の圧縮室３２２では、一層冷媒ガスの圧縮が進行される。反面、前記インナー第２圧縮室３１０の圧縮室３１１では、一層吸入面積が拡張されながら前記ベイン側吸入口１２４を通って冷媒ガスを吸入すると同時に、前記インナー第２圧縮室３１０の圧縮室３１２では冷媒ガスの圧縮を終了する。
【００４６】
次いで、図６（C）に示したように、前記旋回ベイン１６３が時計方向に９０゜さらに旋回された位置では、前記ベイン側吸入口１２４を通ってアウター第２圧縮室３２０の圧縮室３２１の中へ冷媒ガスの吸入が進行されると同時に、前記アウター第２圧縮室３２０の圧縮室３２２ではベイン側吐出口１２５を通って冷媒ガスの吐出を始める。反面に、前記インナー第２圧縮室３１０では、前記ベイン側吸入口１２４を通って冷媒ガスの吸入を完了して圧縮を始める。
【００４７】
次いで、図６（D）に示したように、前記旋回ベイン３３が９０゜さらに旋回された位置では、前記アウター第２圧縮室３２０の圧縮室３２１ではベイン側吸入口１２４を通って冷媒ガスを持続的に吸入すると同時に、前記アウター第２圧縮室３２０の圧縮室３２２では圧縮を終了する。反面、前記インナー第２圧縮室３１０の圧縮室３１１では、前記ベイン側吸入口１２４を通って冷媒ガスの吸入を開始すると同時に、前記インナー第２圧縮室３１０の圧縮室３１２では圧縮を持続する。このような一連の冷媒ガスの吸入、圧縮、吐出過程を反復的に遂行する。
【００４８】
このように前記旋回スクロール１６０が旋回運動する時、前記固定スクロール１５０と第１圧縮室２００を形成するだけではなく、前記メインフレーム１２０とも第２圧縮室３００を形成することで、圧縮機の大きさを増やすことなく、圧縮機容量を大きく増加させることができる。
【図面の簡単な説明】
【００４９】
【図１】本発明に係るスクロール圧縮機において、ベイン側吸入口を説明するための縦断面図である。
【図２】本発明に係るスクロール圧縮機において、ベイン側吐出口を説明するための縦断面図である。
【図３】本発明に係るスクロール圧縮機の圧縮機構部を示した分解斜視図である。
【図４】本発明に係るスクロール圧縮機において、旋回スクロールを示した底面斜視図である。
【図５】本発明に係るスクロール圧縮機において、ベイン側圧縮機構部を説明することのための横断面図である。
【図６（Ａ）】図６（Ａ）は、本発明にかかわるスクロール圧縮機のベイン側圧縮機構部の作動を説明する横断面図である。
【図６（Ｂ）】図６（Ｂ）は、本発明にかかわるスクロール圧縮機のベイン側圧縮機構部の作動を説明する横断面図である。
【図６（Ｃ）】図６（Ｃ）は、本発明にかかわるスクロール圧縮機のベイン側圧縮機構部の作動を説明する横断面図である。
【図６（Ｄ）】図６（Ｄ）は、本発明にかかわるスクロール圧縮機のベイン側圧縮機構部の作動を説明する横断面図である。
【図７】従来のスクロール圧縮機の一部を示した縦断面図である。
【図８】従来のスクロール圧縮機の圧縮機構部を示した分解斜視図である。
【符号の説明】
【００５０】
SP    ガス吸入管
DP    ガス吐出管
S１    低圧部
S２    高圧部
１００    スクロール圧縮機
１１０    ケーシング
１２０    メインフレーム
１２１    ボス受納部
１２２    軸孔
１２３    隔壁
１２４    ベイン側吸入口
１２５    アウターベイン側吐出口
１２６    インナーベイン側吐出口
１３０    駆動モータ
１４０    回転軸
１４１    偏心部
１５０    固定スクロール
１５１    ラップ
１５２    吸入口
１５３    吐出口
１６０    旋回スクロール
１６１    ラップ
１６２    ボス部
１６５    スリット
１７０    自転防止部材
１８０    吐出カバー
１９０    スライドブロック
１９１、１９２    曲面部
２００    第１圧縮室
３００    第２圧縮室
【図１】
2006112412.tif 000003
【図２】
2006112412.tif 000004
【図３】
2006112412.tif 000005
【図４】
2006112412.tif 000006
【図５】
2006112412.tif 000007
【図６（Ａ）】
2006112412.tif 000008
【図６（Ｂ）】
2006112412.tif 000009
【図６（Ｃ）】
2006112412.tif 000010
【図６（Ｄ）】
2006112412.tif 000011
【図７】
2006112412.tif 000012
【図８】
2006112412.tif 000013